(57)【要約】【課題】本発明は、消去可能媒体と消去不能媒体との両方から選択し画像形成するデュアルモード画像形成装置を提供する。【解決手段】消去不能媒体に画像形成するためのインクジェット装置と、消去可能媒体に画像形成するための書込み装置と、消去不能媒体、及び消去可能媒体を、インクジェット装置、及び書込み装置のうちの一方に供給するための、媒体移送サブシステムと、書込み装置において画像形成するのに適した温度まで消去可能媒体を加熱する、媒体移送サブシステムに組み込まれた、熱源と、を含む、デュアルモード画像形成システム。【選択図】図５
2011037271.tif 000002
【特許請求の範囲】
【請求項１】
消去不能媒体に画像形成するための、インクジェット装置と、
消去可能媒体に画像形成するための、書込み装置と、
前記消去不能媒体、及び前記消去可能媒体を、前記インクジェット装置、及び前記書込み装置のうちの一方に供給するための、媒体移送サブシステムと、
前記書込み装置において画像形成するのに適した温度まで前記消去可能媒体を加熱する、前記媒体移送サブシステムに組み込まれた、熱源と、
を含む、デュアルモード画像形成システム。
【請求項２】
前記熱源は、前記媒体移送サブシステムと一体化して形成される、請求項１に記載のシステム。
【請求項３】
前記媒体移送サブシステムは、媒体駆動ホイールと対向する媒体前進ガイドバッフルと、を含み、
前記熱源は、前記消去可能媒体の消去温度が達成されるように前記ガイドバッフルに接続されている、
請求項１に記載のシステム。
【請求項４】
前記インクジェット装置において画像形成する間、前記消去不能媒体を支持し、前記書込み装置において画像形成する間、消去可能媒体を支持する、ための支持ガイドと、
をさらに含む、請求項１に記載のシステム。
【発明の詳細な説明】
【技術分野】
【０００１】
本発明は、一般に画像形成に関し、より詳細には、画像形成システムでの可逆書込み消去可能媒体と消去不能媒体との両方への画像形成に関する。
【背景技術】
【０００２】
紙文書は、しばしば読まれた後にすぐに捨てられる。紙は、比較的安価であるが、捨てられる紙文書の量は非常に多く、これらの捨てられる紙文書の処分が、重大な費用及び環境問題を引き起こす。したがって、紙文書が、再利用可能であり、費用及び環境問題の両方を最小にすることが望ましい。
【０００３】
消去可能媒体は、画像を一時的に記憶するために何回も再使用可能な媒体であり、画像は、消去可能媒体に書き込まれ、そこから消去可能である。例えば、光発色性（ｐｈｏｔｏｃｈｒｏｍｉｃ）紙が、光発色性材料を利用して、画像形成可能な面を提供する。一般に、光発色性材料は、光発色性を含む層内で、光に誘起され可逆的又は非可逆的に変色する。さらに、可逆性の光誘起変色により、同じ紙に対して連続的な光発色性紙の画像形成、及び消去が可能になる。例えば、特定の波長の光源が、消去可能媒体に画像形成するために使用され、一方、熱が、画像形成された消去可能媒体の消去を誘発するために使用されてもよい。
【０００４】
消去可能媒体への画像形成には、独特の要件となるため、以前は、専用装置が必要であった。具体的には、ＵＶ源が、消去可能媒体に画像形成するために必要とされ、熱が、画像形成された消去可能媒体を消去するために必要とされることがある。さらに、特定の温度パラメータが、消去可能媒体の画像形成と消去それぞれについて必要とされる。従来の画像形成装置は、消去不能媒体に従来の画像形成を行うのには適しているが、その構造は、消去可能媒体を、又は消去不能媒体と組み合わせて消去可能媒体を処理するには、適していない。
【発明の概要】
【発明が解決しようとする課題】
【０００５】
したがって、本発明は、従来技術のこれらの問題、及び別の問題を克服し、消去可能媒体と消去不能媒体との両方から選択し画像形成するデュアルモード画像形成装置を提供することを目的としている。さらに、本発明のデュアルモード画像形成システムは、画像形成のための構成要素を相互共用する。
【課題を解決するための手段】
【０００６】
本発明の様々な実施形態によれば、本発明は、デュアルモード画像形成システムを含む。このシステムは、消去不能媒体に画像形成するためのインクジェット装置と、消去可能媒体に画像形成するための書込み装置と、消去不能媒体及び消去可能媒体をインクジェット装置及び書込み装置のうちの一方に供給するための媒体移送サブシステムと、ならびに媒体移送サブシステムに組み込まれた熱源と、を含み、熱源は、書込み装置において画像形成するのに適した温度まで消去可能媒体を加熱する。
【０００７】
本発明の様々な実施形態によれば、本発明は、デュアルモード画像形成装置を含む。この装置は、消去不能媒体に画像形成するためのインクジェット装置と、消去可能媒体に画像形成するための書込み装置と、及びインクジェット装置の媒体送りガイドバッフルに組み込まれた熱源と、を含み、消去可能媒体の画像形成温度は、熱源により達成される。
【０００８】
本発明の様々な実施形態によれば、本発明は、デュアルモード画像形成方法を含む。この方法は、熱源とインクジェット画像形成装置の媒体送りガイドバッフルとを合併させることであって、ガイドバッフルは、消去可能媒体及び消去不能媒体のための共通の媒体経路を形成し、熱源により消去可能媒体の画像形成温度を達成し、書込み装置を用いて消去可能媒体に画像形成温度において選択的に画像を形成し、インクジェット装置を用いて消去不能媒体に選択的に画像を形成し、画像形成された消去可能媒体を冷却する、ことを含む。
【０００９】
本発明の第１の態様は、デュアルモード画像形成システムであって、消去不能媒体に画像形成するためのインクジェット装置と、消去可能媒体に画像形成するための書込み装置と、消去不能媒体、及び消去可能媒体を、インクジェット装置、及び書込み装置のうちの一方に供給するための媒体移送サブシステムと、書込み装置において画像形成するのに適した温度まで消去可能媒体を加熱する、媒体移送サブシステムに組み込まれた熱源と、を含む。
【００１０】
本発明の別の態様は、第１の態様のシステムであって、熱源は、媒体移送サブシステムと一体化して形成される。
【００１１】
本発明の別の態様は、第１の態様のシステムであって、媒体移送サブシステムは、媒体駆動ホイールと対向する媒体前進ガイドバッフルと、を含み、熱源は、消去可能媒体の消去温度が達成されるようにガイドバッフルに接続されている。
【００１２】
本発明の別の態様は、第１の態様のシステムであって、インクジェット装置において画像形成する間、消去不能媒体を支持し、書込み装置において画像形成する間、消去可能媒体を支持する、ための支持ガイドと、をさらに含む。
【図面の簡単な説明】
【００１３】
【図１】消去可能媒体の斜視図である。
【図２】本発明によるデュアルモード画像形成装置を示す透視図である。
【図３】本発明による図２のデュアルモード画像形成装置の加熱構造、及び冷却構造を示す側面図である。
【図４】本発明による図２のデュアルモード画像形成装置の追加の加熱構造、及び冷却構造を詳しく説明する側面図である。
【図５】本発明による別のデュアルモード画像形成装置を示す透視図である。
【発明を実施するための形態】
【００１４】
本明細書で使用される「消去可能媒体」という用語は、堅い厚紙（ｃａｒｄｓｔｏｃｋ）、及び他の重さの紙を含む、従来の紙の外観及び感触を有する一時的（ｔｒａｎｓｉｅｎｔ）な材料を指す。消去可能媒体は、選択的に画像形成され消去されることができる。
【００１５】
本明細書で使用される、画像形成された消去可能媒体とは、消去可能媒体上に、例えば、消去可能媒体の紫外線（ＵＶ）画像形成の結果である可視画像を有する消去可能媒体を指す。
【００１６】
本明細書で使用される、画像形成されていない消去可能媒体とは、以前に画像形成されなかった消去可能媒体、又は画像が消去されＵＶ画像形成に利用可能な消去可能媒体を指す。例示的な消去可能媒体が、図１に関連して下記に説明されている。
【００１７】
本明細書で使用される「消去不能媒体」という用語は、従来技術で知られるインクジェット、ゼログラフィ、又は液体インク電子写真等、従来の画像形成に使用される種別の従来型の媒体を指す。消去不能媒体の例は、従来の紙のことであってもよい。
【００１８】
図１は、本発明による例示的な消去可能媒体１００を示す。図１に示される消去可能媒体１００は、一般化された概略図であり、別の層が追加されてもよく、あるいは既存の層が取り除かれても、又は修正されてもよいことが当業者には明らかであろう。
【００１９】
図１に示されるように、消去可能媒体１００は、基材１１０、及び基材１１０中、又はその上に組み込まれた、光発色性材料１２０を含んでもよい。光発色性材料１２０は、基材１１０上に可逆的書込み（すなわち、消去可能）画像形成成分を提供する。
【００２０】
基材１１０は、例えば、紙、木、プラスチック、織物、織物製品、高分子薄膜、金属といった無機性基材等のような、適した材料を含む。紙は、例えば、ＸＥＲＯＸ（登録商標）４０２４紙等の普通紙、罫線の入ったノート紙、ボンド紙、シャープ社のシリカ皮膜紙等のシリカ皮膜紙、十條製紙社の紙等を含んでいてもよい。１枚の紙の基材１１０は、白紙の外観を有する。
【００２１】
本実施形態において、基材１１０は、柔軟性のある材料から作られてよく、透明でも不透明であってもよい。基材１１０は、単一層でも、各層が同じ、又は異なる材料である多層でもよく、例えば、約０．０５ｍｍ〜約５ｍｍまでの範囲の厚さを有する。
【００２２】
光発色性材料１２０は、例えば、紙等の多孔性基材等の基材１１０に含浸されても、埋め込まれても、被覆されてもよい。特定の実施形態では、光発色性材料１２０は、基材１１０に一様に塗られる、及び／又は別の方法で基材に恒久的に貼り付けられてもよい。
【００２３】
画像形成された消去可能媒体１００の光発色性材料の１つ又は複数の部分が、消去される。目に見える画像から消去された媒体へ移行させるために、消去するために適した温度で、消去可能媒体１００に熱が加えられる。例えば、約８０℃〜約２００℃までの間の温度で、消去可能１００は、完全に消去される。消去された消去可能媒体１００に再度画像を形成する（又は元の消去可能媒体に画像を形成する）ために、消去可能媒体１００は、例えば、ＵＶ露光を使用して書き込まれる前に、約５５℃〜約８０℃までの間の温度に加熱される。
【００２４】
光発色性紙以外の他の種別の消去可能媒体が、本明細書の例示的本実施形態と関連して使用されてもよいことを理解されたい。そのような種別の消去可能媒体は、本開示の範囲内に含まれるものとする。
【００２５】
消去可能媒体を処理するための温度は、消去可能媒体に画像形成し、消去するための単一装置内で達成され、維持される。しかしながら、以下は、従来の（消去不能）印刷及びコピーを行うだけでなく、消去可能媒体を処理するデュアルモード画像形成システムの例示的な統合を説明する。従来の印刷及びコピーは、インクジェットにより行われる。インクジェットは、水性インクジェット、固形インクジェット、及びゲルインクジェットを含んでもよい。
【００２６】
図２は、本発明による、インクジェットプリンタ、及び消去可能媒体書込みシステムを統合した例示的デュアルモード画像形成システム２００を示す。図２に示されたデュアルモード画像形成システム２００は、一般化された概略図を表すこと、及び別の構成要素が追加される、又は既存の構成要素が削除又は修正されてもよいことが当業者には容易に明らかであろう。
【００２７】
図２に示されるように、デュアルモード画像形成システム２００は、媒体入力トレイ２２０及び媒体出力トイレ２３０の場所を有する、筐体２１０を含む。さらに、デュアルモード画像形成システム２００は、従来の画像形成サブシステム２４０、消去可能媒体書込みサブシステム２６０、温度管理サブシステム２５０、ユーザインタフェース２８０、制御システム２９０、及び管理者インタフェース２９５を含む。
【００２８】
筐体２１０は、デュアルモード画像形成システム２００の例示的構成要素を収容する材料及びサイズからなる。特定の実施形態では、筐体２１０は、デスクトップ装置を含んでいてもよい。筐体２１０は、床全体で支持される装置をさらに含んでいてもよい。それぞれのサイズは、従来技術で知られており、本発明の範囲を制限するものではない。
【００２９】
媒体入力トレイ２２０は、消去可能媒体、及び消去不能媒体のための１つ又は複数の入力トレイを含む。本明細書では、消去可能媒体が元の状態である、すなわち、以前に画像が形成されていない場合、説明を容易にするために「消去された」消去可能媒体と呼ぶ。消去可能媒体については、消去された消去可能媒体、及び画像形成された消去可能媒体のために、それぞれに適したデュアルモード画像形成システム２００内部の動作を区別するために、別個の入力トレイが提供される。媒体の別の組合せは、本開示の範囲内にあるものとする。例として、及び本発明の説明の目的により、入力トレイは、その中の媒体の種別に従って分類されているが、筐体２１０に対する内部と外部とへのそれらの配置は、筐体２１０内部の構成に従って変更可能である。
【００３０】
実施形態では、デュアルモード画像形成装置２００に入る媒体の種別を検出するために、センサ２２５が提供される。センサ２２５は、各入力トレイ２２０の最も近くにあっても、入力トレイ２２０に組み込まれても、筐体２１０の内部にあってもよい。たとえば、センサ２２５は、消去可能媒体１００を検出することができ、制御システム２９０は、従来の画像形成サブシステム２４０、又は消去可能媒体書込みサブシステム２６０のうちの一方の活動化、又は使用を選択する。
【００３１】
選択された媒体は、矢印で示される方向に画像形成経路に沿って動かされる。選択された媒体の単一シートが、印刷コントローラ（図示せず）の制御下で、モータＭにより駆動される文書送りローラ２２２により入力トレイ２２０から送りこまれる。入力トレイ２２０は、媒体のスタックの最上部のシートを送りローラ２２２と接触させるバイアス機構２２４により、スプリングバイアスをかけられる。送りローラ２２２と接触する一番上の媒体が、温度管理サブシステム２５０に移送される。温度管理サブシステム２５０の詳細は、図３及び図４と併せて、さらに説明される。
【００３２】
従来の画像形成システム２４０は、消去不能媒体に画像を形成するのに適した構成要素を含む。特定の実施形態では、画像形成サブシステム２４０は、インクジェット画像形成システムを含む。従来のインクジェット画像形成サブシステム２４０は、従来技術で知られるガイドレール２４２及び支持棚２４４上で、消去不能媒体を横切って前後に動く筐体により支持される複数のノズルを介して、黒及び／又は色つきのインク滴を蓄積する転写インクジェット印刷ヘッドを含む。異なる色を印刷するための分割された単一印刷ヘッドだけでなく、異なる色を印刷する多数の印刷ヘッドが、本発明の範囲内にある。インクジェットサブシステム２４０は、構造及び機能が従来技術で知られている、固形インクジェット、ゲルインクジェット、及び水性インクジェットのいずれを含んでいてもよい。
【００３３】
特定の実施形態では、書込みサブシステム２６０は、消去可能媒体に画像を形成するのに適した画像形成のための構成要素を含む。たとえば、書込みサブシステム２６０は、消去可能媒体にＵＶ画像を形成する。実施形態では、消去可能媒体が所定の温度に到達すると、ＵＶ画像の形成が実現される。消去可能媒体の例示的なＵＶ画像の形成温度は、約５０℃〜約８０℃までである。さらに具体的には、ＵＶ画像の形成温度は、約６０℃〜約７０℃までである。本実施形態におけるＵＶ画像形成温度は、約６５℃である。別のＵＶ画像形成温度、ＩＲ画像形成温度、又は同様の画像形成温度が、消去可能媒体の種別に従って設定されてもよく、そのような画像形成温度は、本発明の範囲内に含まれるものとする。
【００３４】
本実施形態では、書込みサブシステム２６０は、熱源を含む。熱源は、たとえばＵＶ画像形成等の画像形成に適した温度まで、消去可能媒体を加熱する。熱源は、以下に、図３と併せてさらに説明する。
【００３５】
従来の画像形成装置２４０、及び書込みサブシステム２６０それぞれの前面が、画像を形成される媒体と実質的に平行となっている。媒体が移動する方向と直角に移動する画像形成装置２４０、及び書込みサブシステム２６０は、インク滴を蓄積する、又は光を放って媒体に画像を形成する。媒体上に蓄積された画像、又は他の方法で媒体上に形成された画像は、テキスト画像及び／又はグラフィック画像を含み、その作成は、画像形成装置２４０に結合されたケーブル２４６を介して伝送される電気信号に応答して、コントローラ２９０及び２９５により制御される。スターホイール２４８、又は別の既知の駆動機構が、画像形成された媒体の先頭の端を拾い上げ、画像が形成された媒体を、出力トレイ２３０の方向へ導く。
【００３６】
特定の実施形態では、ユーザインタフェース２８０が、筐体に提供される。ユーザインタフェース２８０は、デュアルモード画像形成システム２００の機能を指示するための、ユーザ入力に応答する制御構成要素を含む。特定の実施形態では、デュアルモード画像形成システム２００は、ユーザインタフェース２８０により、消去可能媒体画像形成モード、又は従来の（消去不能媒体の）印刷モードで起動するように構成されている。
【００３７】
特定の実施形態では、管理者インタフェース２９５は、筐体２１０へのネットワーク接続を介して提供される。管理者インタフェース２９５は、デュアルモード画像形成システムの機能を指示する制御オプションを含む。特定の実施形態では、デュアルモード画像形成システム２００は、管理者インタフェースにより、消去可能媒体画像形成モード、又は通常の（消去不能媒体の）印刷モードで起動するように構成されている。
【００３８】
ジョブ選択が、ユーザインタフェース２８０で実行される。あるいは、ジョブ選択は、管理者インタフェース２９５で実行される。第３の選択肢では、ジョブ選択は、印刷ドライバ制御へのプロパティリンクを介した、ユーザのパーソナルコンピュータの印刷ダイアログボックスにより実行される。あるいは、ユーザインタフェース２８０は、ジョブ開始時点で適切な媒体を確認するよう操作者に促す。ユーザインタフェース２８０は、さらにセンサ２２５に応答することができ、センサ２２５は、ユーザインタフェース２８０における入力に応答する。
【００３９】
図３及び図４は、本発明による例示的な内部構造３００を形成する。内部構造３００は、デュアルモード画像形成装置２００の内部の消去可能媒体及び消去不能媒体のうちの一方を選択し、加熱する、冷却する、及び画像形成するために提供される。効果的な消去可能媒体の画像形成、及び消去には、消去可能媒体を書込み過程の間に、消去可能媒体を指定された温度まで加熱する必要がある。消去ステップでは、消去可能媒体は、さらに高い温度まで加熱される必要がある。したがって、小型のオフィス装置では、基本の製品コスト、及びエネルギー使用を最小とするために、簡単で効果的な設計が非常に重要となり得る。
【００４０】
内部構造３００は、書込み動作の一部として消去可能媒体の局部的加熱を提供する。図３及び図４に示された内部構造３００は、一般化された概略図を表すこと、及び別の構成要素が追加される、又は既存の構成要素が削除又は修正されてもよいことが当業者には容易に明らかであろう。
【００４１】
現在の消去可能媒体の実例、具体的には、光発色性の消去可能媒体へのＵＶ書込みを利用するタイプの現在の消去可能媒体の実例は、使用に当たって、消去可能媒体を加熱する必要がある。加熱は、約５５℃〜約８０℃の間の温度である。さらに具体的な加熱は、約６０℃〜約７０℃の間の温度である。本実施形態では、たとえば、加熱を約６５℃の温度とする。本実施形態の例示的な構造は、エネルギーを浪費することなく、所望の温度で消去可能媒体を維持する。
【００４２】
図３及び図４に示されるように、内部構造３００は、媒体送り３２０、媒体駆動ホイール３７０、媒体ガイドバッフル３２４、温度管理サブシステム３５０、及び媒体支持ガイド３８０を含む。媒体ガイドバッフル３２４は、その中に組み込まれた熱源３２６をさらに含む。媒体支持ガイド３８０は、また、その中に組み込まれた、又はそれに近接する、加熱装置３８２、及び冷却装置３８４を含む。画像形成装置３４０／３６０は、駆動ホイール３７０から移送される媒体の排出場所に配置される。画像形成装置３４０は、消去可能媒体画像形成システムを含み、画像形成装置３６０は、従来の画像形成システムを含む。従来の画像形成システムは、インクジェット画像形成システムを含む。インクジェット画像形成システムは、水性インクジェット、固形インクジェット、及びゲルインクジェットを含んでいてもよい。
【００４３】
一般に、消去可能媒体及び消去不能媒体は、媒体送り３２０において温度管理サブシステム３５０に供給され、媒体駆動ホイール３７０により媒体支持ガイド３８０に移送される。媒体ガイドバッフル３２４は、媒体駆動ホイール３７０と接触しない媒体の面と向かい合わせに配置される。本明細書での媒体という用語の使用は、消去可能媒体（消去された消去可能媒体又は元の消去可能媒体を含む）、及び消去不能媒体のうちの少なくとも一方を含むことが理解されよう。
【００４４】
本実施形態では、媒体送り３２０は、デュアルモード画像形成装置２００に媒体を供給するのに適した、既知のどんな媒体送り又は入力部を含む。例として、媒体送り３２０は、１つ又は複数の入力トレイを含む。媒体送り３２０は、入力トレイと関連する巻き取りローラ３２２を含む。デュアルモード画像形成装置２００への媒体入力の種別に従って、多数の媒体送り３２０が利用される。
【００４５】
実施形態では、媒体駆動ホイール３７０は、媒体送り３２０から媒体支持ガイド３８０まで媒体を移送するための１つ又は複数のホイールを含む。媒体駆動ホイール３７０は、内部機構により活動化され回転され、従来技術で知られるモータ「Ｍ」により動力を供給される。媒体駆動ホイール３７０は、媒体送り３２０から画像形成装置３４０／３６０、最後には出力まで所定の経路で媒体を移送する。出力は、デュアルモード画像形成装置２００の内部にあってもよく、デュアルモード画像形成装置２００の外部にあってもよい。
【００４６】
本実施形態では、媒体ガイドバッフル３２４は、形が媒体駆動ホイール３７０の外周囲面に実質的に対応する。たとえば、媒体ガイドバッフル３２４は、形が弓形（ａｒｃｕａｔｅ）である。媒体ガイドバッフル３２４は、媒体駆動ホイール３７０の所定の表面に広がる長さからなる。特定の実施形態では、媒体ガイドバッフル３２４は、媒体駆動ホイール３７０により移送される媒体の全長を取り囲む長さからなる。しかし、媒体ガイドバッフル３２４の別の長さが、この開示の範囲内にあると考えられる。図には媒体ガイドバッフル３２４は、弓形なものとして示されているが、最終の画像形成装置に従って、他の適切な構成も想定されることを理解されよう。たとえば、媒体ガイドバッフル３２４は、従来技術で知られる、ベルト型の媒体送りに対応して、実質的に平坦であってもよい。
【００４７】
図に示されているように、熱源３２６は、媒体ガイドバッフル３２４と一緒に提供される。特定の実施形態では、熱源３２６は、媒体ガイドバッフル３２４内部に形成されたヒータ素子を含む。たとえば、熱源３２６のヒータ素子は、抵抗加熱素子を含む。熱源３２６は、媒体ガイドバッフル３２４の内面及び外面のうちの１つ又は複数に形成された熱付与材料からなる、１つ又は複数の層を含む（図４）。熱源３２６は、媒体ガイドバッフル３２４の内面上に形成されているとして示されているが、熱源３２６は、本発明の範囲を制限するものとすることなく、媒体ガイドバッフル３２４の外面上にも形成される。
【００４８】
媒体ガイドバッフル３２４の内面又は外面上に形成された熱源３２６は、抵抗ヒートテープ等のヒートテープ、又はＯＥＭ  Ｈｅａｔｅｒｓ社により製造されるようなヒートパッドを含む。熱源３２６は、内部構造においてガイドバッフルの内面上であっても外面上であっても、媒体ガイドバッフル３２４の一部又は全体を覆ってもよいことが理解されよう。本実施形態では、熱源３２６は、後述するように消去可能媒体への書込み動作の一部として、基材の局所的な加熱を提供するために、局所化されてもよい。
【００４９】
媒体ガイドバッフル３２４は、媒体駆動ホイール３７０から所定の間隔だけ離れて配置される。媒体ガイドバッフル３２４は、その上に熱源３２６を収容するために、距離を置いて配置され、それにより、媒体駆動ホイール３７０上において移送される媒体から、熱源３２６の間に間隔を置く。したがって、熱源３２６は、媒体を損なうことなく消去可能媒体を加熱するように配置される。媒体ガイドバッフル３２４、及び熱源３２６は、駆動ホイール３７０により移送される媒体に接触することなく、媒体駆動ホイール３７０と所望の近さで配置されることが理解されよう。熱源３２６は、媒体駆動ホイール３７０により移送される消去可能媒体の全部、又は一部を加熱する寸法を有する。熱源３２６は、消去可能媒体の厚さ全体にわたり消去可能媒体を加熱する強度から。さらに、熱源３２６は、熱源３２６にさらされる消去可能媒体のその面だけを加熱する強度からなるもであってもよい。
【００５０】
本実施形態では、図４で例として示されるように、絶縁材料３２８が、媒体ガイドバッフル３２４の外面上に提供される。絶縁材料３２８は、媒体ガイドバッフル３２４の外面上に発生する熱を、覆う、又は収容するように形成される。絶縁が、熱損失を最小にし、熱源３２６、及び媒体ガイドバッフル３２４に関する温度制御を改善する。絶縁材料３２８は、空気、低熱伝導率発泡体、ポリスチレン発泡体等からなる１つ又は複数の層を含んでいてもよい。
【００５１】
実施形態では、媒体支持ガイド３８０は、消去可能媒体が媒体駆動ホイール３７０から解放される送り出し地点（領域）に配置される。媒体支持ガイド３８０は、デュアルモード画像形成装置２００の構成に従って、媒体駆動ホイール３７０から解放される消去可能媒体の一部又は全体を収容する長さからなる。一般に、媒体支持ガイド３８０は、実質的に平坦な支持表面を提供することにより、媒体上への画像形成、又は書込みの間に消去可能媒体を平坦に維持する。媒体支持ガイド３８０は、そこに組み込まれた支持ガイド熱源３８２をさらに含む。支持ガイド熱源３８２は、内部熱源、及び外部熱源のうちの少なくとも１つを含む。内部熱源は、デュアルモード画像形成装置、又は別の方法により動力を供給される抵抗ヒータ又は同様の内部ヒータを含む。外部熱源は、たとえば、媒体支持ガイド３８０の画像形成システム３４０、及び３６０の方向へ向く表面上に配置されたヒートパッドを含む。支持ガイド熱源３８２は、消去可能媒体書込みシステム３４０により画像形成される間、消去可能媒体を正確な温度で維持する。
【００５２】
媒体支持ガイド３８０はまた、そこに組み込まれた、又はそこに近接する冷却装置３８４を含んでもよい。本実施形態では、冷却装置３８４は、媒体支持ガイド３８０の内部に配置される。同様に、冷却装置３８４は、媒体支持ガイド３８０の外部に配置されてもよい。冷却装置３８４は、媒体支持ガイド３８０の後端の上部、下部、又は上部及び下部を含む、媒体支持ガイド３８０の後端近く（媒体移送により決定される）に配置される。したがって、冷却用空気が、消去可能媒体書込みシステム３４０による画像形成直後に、画像形成された消去可能媒体の温度を下げ、それにより、画像形成された消去可能媒体の可能な最大光学濃度を維持する。実施形態では、冷却用空気は、画像形成された消去可能媒体上の接触点の温度を制限する。
【００５３】
冷却装置３８４は、消去可能媒体の能動冷却を含む。能動冷却では、冷却装置３８４は、冷却用空気等の冷却媒体の流れを、画像形成された消去可能媒体上に向ける。能動冷却は、画像形成された消去可能媒体の温度を、周囲温度又は別の温度にするのに適した期間及び温度で行われる。周囲温度は、画像形成温度未満の温度を含む。たとえば、周囲温度は、室温を含む。さらに、能動冷却は、画像形成された消去可能媒体の温度を、ＵＶ画像形成温度にするのに適した期間及び温度で行われる。特定の実施形態では、冷却装置３８４は、ファンを含む。特定の実施形態では、冷却装置３８４は、冷却板、ローラ、凝縮装置、及び画像形成された消去可能媒体に作用する又は隣接する同様の冷却装置を含んでもよい。
【００５４】
説明された加熱構造及び冷却構造はまた、デュアルモード画像形成装置２００の内部で生成された熱を最小にし、従来のインクジェット印刷システムを、デュアルモード画像形成装置２００に組み込むことを可能にする。具体的には、従来のインクジェット印刷システム３６０を、消去可能媒体書込みシステム３４０と同じ筐体に組み込むことが可能となる。
【００５５】
温度管理サブシステム３５０は、従来の消去不能媒体の表面上に置かれたインクを乾燥させる熱を発生させるために利用されてもよいことが理解されよう。より具体的には、支持ガイド熱源３８２は、従来のインクを乾燥させるのに十分な熱量を発生させる。さらにその上、支持ガイド冷却装置３８４は、加熱された消去不能媒体を冷却するために利用されてもよいことが理解されよう。
【００５６】
図５は、本発明による固形インクプリンタ及び消去可能媒体書込みシステムそれぞれを組み込む例示的デュアルモード画像形成システム４００を示す。図５に示されたデュアルモード画像形成システム４００は、一般化された概略図を表すこと、及び別の構成要素が追加される、又は既存の構成要素が削除又は修正されることが当業者には容易に明らかであろう。
【００５７】
図５に示されるように、代替のデュアルモード画像形成システム４００の内部構成は、従来の画像形成構成要素、及び消去可能媒体書込み装置４６０を含む。従来の画像形成構成要素は、全幅固形インク印刷ヘッド４４０、中間転写ドラム４４２、ドラムクリーナ４４４、加圧ローラ４４６、コントローラ４９０、及びメモリ４９２等の固形インク画像形成構成要素を含む。ヒータ４５０が、さらに説明されるように、加圧ローラ４４６より前に提供され、従来の画像形成構成要素、及び消去可能媒体書込み装置４６０それぞれに関連する媒体転写装置として動作可能である。消去可能媒体、及び消去不能媒体のうちの一方４２０が、示される矢印４２１の方向に、媒体転写装置を含む構成を通過する。
【００５８】
メモリ４９２は、たとえば、書換え可能（ａｌｔｅｒａｂｌｅ）な揮発性メモリ又は不揮発性メモリ、あるいは書換え不能（ｎｏｎ−ａｌｔｅｒａｂｌｅ）メモリ又は固定メモリの適切な組合せも含む。書換え可能メモリは、揮発性であれ不揮発性であれ、スタティックＲＡＭ又はダイナミックＲＡＭ、フロッピーディスク及びディスクドライブ、書込み可能光ディスク又は再書込み可能光ディスク及びディスクドライブ、ハードディスクドライブ、フラッシュメモリ等のうちのどの１つ又は複数を使用して実装される。同様に、書換え不能メモリ又は固定メモリは、ＲＯＭ、ＰＲＯＭ、ＥＰＲＯＭ、ＥＥＰＲＯＭ、ＣＤ−ＲＯＭディスク又はＤＶＤ−ＲＯＭディスク等の光ＲＯＭ及びディスクドライブ等のうちのどの１つ又は複数を使用して実装される。コントローラ４９０及び／又はメモリ４９２は、いくつかのコントローラ又はメモリの組合せであってもよく、すべて又は一部がプリンタ４００の外部に配置されてもよいことを理解されたい。
【００５９】
中間転写ドラム４４２上にインク画像を印刷するように構成されている場合、コントローラ４９０の制御の下にある全幅印刷ヘッド４４０内部の１つ又は複数の印刷ヘッドが、中間転写ドラム４４２のすぐそばに配置される。その結果、コントローラ４９０の制御の下で、全幅印刷ヘッド４４０は、インク滴を中間転写ドラムに噴出して、その上にインク画像を形成する。インク滴が中間転写ドラム４４２上に置かれている間、加圧ローラ４４６は、中間転写ドラム４４２と接触しない。
【００６０】
１つ又は複数の画像が中間転写ドラム４４２上に印刷されると、既知の単一経路法又は多数経路法のいずれかに従って、かつコントローラ４９０の制御の下で、固形インクジェットプリンタ４００は、１つ又は複数の画像を中間転写ドラム４４２から消去不能媒体４２０上に、転写し、固定するための構成に変化する。この構成に従って、消去不能媒体４２０は、矢印４２１により示されるように、移動可能又は配置可能な転写定着ローラ（ｔｒａｎｓｆｉｘｉｎｇ  ｒｏｌｌｅｒ）４４６と、中間転写ドラム４４２の間の位置に移送される。転写定着ローラ４４６は、消去不能媒体の前面を中間転写ドラム４４２に押しつけるために、消去不能媒体４２０の裏側に圧力を加える。転写定着ローラ４４６は、画像を消去不能媒体に転写定着する助けになるように、加熱される。
【００６１】
さらに、ヒータ４５０は、転写定着ローラ４４６より前に送り経路に沿って配置される。ヒータ４５０は、たとえば、板として構成される。ヒータ板は、その中に形成された抵抗器を含み、ヒータの１つ又は複数の面上にヒートテープが形成される。ヒータ４５０は、デュアルモード画像形成装置４００の機能により必要とされる、ヒータ上を通過する消去可能媒体、又は消去不能媒体のどちらも加熱するのに適した温度を発生させる。たとえば、ヒータ板４５０は、その上に画像を転写定着する助けになるように消去不能媒体４２０を予熱する。転写定着ローラ４４６により生成され、加熱された消去不能媒体４２０の裏側への圧力は、中間転写ドラム４２２から消去不能媒体４２０上に画像を転写定着（転写し、融解させる）のを容易にする。
【００６２】
さらに、ヒータ４５０は、消去可能媒体４２０を消去可能媒体書込み装置４６０による画像形成に適した温度まで予熱する。
【００６３】
特定の実施形態では、消去可能媒体書込み装置４６０は、消去可能媒体の画像形成に適した画像形成構成要素を含む。たとえば、消去可能媒体書込み装置４６０は、消去可能媒体が所定の温度に到達すると、消去可能媒体にＵＶ画像を形成する。消去可能媒体の例示的なＵＶ画像形成温度は、約５０℃〜約８０℃である。より具体的には、ＵＶ画像形成温度は、約６０℃〜約７０℃であってもよい。本実施形態におけるＵＶ画像形成温度は、約６５℃である。別のＵＶ画像形成温度、ＩＲ画像形成温度、又は同様の画像形成温度が、消去可能媒体の種別に従って設定されることができ、そのような画像形成温度は、本発明の範囲内に含まれるものとする。
【００６４】
実施形態では、消去可能書込み装置４６０は、熱源としてヒータ４５０を含む。ヒータ４５０は、消去可能媒体を、たとえば、ＵＶ画像形成等の画像形成に適した温度まで加熱する。
【００６５】
中間転写ドラム４４２と転写定着ローラ４４６の両方の回転又はローリングは、それぞれ矢印４４３、４４７により示されるように、画像を消去不能媒体４２０上に転写定着するだけでなく、媒体を中間転写ドラム４４２と転写定着ローラ４４６の間で運ぶのを手伝う。
【００６６】
画像が中間転写ドラム４４２から転写され、媒体４２０に転写定着されると、転写定着ローラ４４６は、中間転写ドラム４４２から遠ざけられ、中間転写ドラム４４２は、回転し続け、コントローラ４９０の制御の下で、中間転写ドラム４４２上に残されたどんな残りのインクも、ドラムクリーナ４４４等のメンテナンス装置で、よく知られたドラムメンテナンス手順により取り除かれる。
【００６７】
媒体上に置かれた又は別の方法で形成された画像は、テキスト及び／又はグラフィック画像を含み、その作成は、コントローラ４９０により制御される。ユーザインタフェース４８０が、画像形成装置に含まれる。ユーザインタフェース４８０は、デュアルモード画像形成システム４００の機能を指示するための、ユーザ入力に応答する制御構成要素を含む。特定の実施形態では、デュアルモード画像形成システム４００は、ユーザインタフェース４８０により、消去可能媒体画像形成モード又は従来の（消去不能媒体の）印刷モードで起動するように構成される。
【００６８】
ジョブ選択が、ユーザインタフェース４８０で実行される。あるいは、ジョブ選択は、印刷ドライバ制御へのプロパティリンクを介した、ユーザのパーソナルコンピュータの印刷ダイアログボックスで実行される。あるいは、ユーザインタフェース４８０は、ジョブ開始時点で適切な媒体を確認するよう操作者に促す。
【符号の説明】
【００６９】
２２０  媒体入力
２２４  バイアス機構
２２５  センサ
２３０  媒体出力
２４２  ガイドレール
２５０  温度管理サブシステム
２６０  消去可能媒体書込みサブシステム
２８０  ユーザインタフェース
２９０  制御システム
２９５  管理者インタフェース
３２２  巻き取りローラ
３２６  熱源
３２８  絶縁材料
３５０  温度管理サブシステム
３７０  媒体駆動ホイール
３８０  媒体支持ガイド
３８２  加熱装置
３８４  冷却装置
４４０  全幅固形インク印刷ヘッド
４４２  中間転写ドラム
４４４  ドラムクリーナ
４４６  加圧ローラ
４５０  ヒータ
【図１】
2011037271.tif 000003
【図２】
2011037271.tif 000004
【図３】
2011037271.tif 000005
【図４】
2011037271.tif 000006
【図５】
2011037271.tif 000007